(57)【要約】【課題】薄手のシートと厚手のシートの両方を使用することができる、合理的で使い勝手の良い清掃具を提供する。【解決手段】厚みの異なる清掃用シート２を選択的に装着可能なヘッド３と、前記シート２を装着状態に固定するためのシート固定部材１３とを有し、前記ヘッド３は、一端側と他端側とにそれぞれシート固定孔１８を有し、前記シート固定部材１３は、一端側と他端側とにそれぞれ、前記シート２を固定状態に保持するシート固定部２１を有し、該シート固定部２１は、複数の切目２７で区画された係止片２６と、前記シート固定孔１８に嵌合する固定軸１７とを有し、前記係止片２６は、薄手のシート２ａの使用時に、前記切目２７内に挿入された該シート２ａに係止して該シート２ａを固定状態に保持し、前記固定軸１７は、厚手のシート２ｂの使用時に、該シート２ｂを前記ヘッド３のシート固定孔１８内に押し込んで固定状態に保持する。【選択図】図１
2017000383.tif 000002
【特許請求の範囲】
【請求項１】
厚みの異なる清掃用シートを選択的に装着可能なヘッドと、該ヘッドに装着された前記シートを装着状態に固定するため、該ヘッドの一端側と他端側とにそれぞれ取り付けられたシート固定部材とを有し、
前記ヘッドは、前記一端側と他端側とにそれぞれシート固定孔を有し、
前記シート固定部材は、長手方向と短手方向とを有する可撓性ある部材であって、長手方向の一端側と他端側とにそれぞれ、前記シートの一部を固定状態に保持するシート固定部を有し、
前記シート固定部には、複数の切目により区画された弾性変形可能な係止片と、前記ヘッドのシート固定孔に嵌合する固定軸とが形成され、前記係止片は、薄手のシートの使用時に、前記切目内に挿入された該シートに係止して該シートを固定状態に保持し、前記固定軸は、厚手のシートの使用時に、該シートを前記ヘッドのシート固定孔内に押し込んで固定状態に保持する、
ことを特徴とする清掃具。
【請求項２】
前記固定軸は中空状をしていて、前記シート固定部の、前記係止片が形成されている部分の片面に、該係止片の形成域を取り囲むような配置で形成されていることを特徴とする請求項１に記載の清掃具。
【請求項３】
前記固定軸の正面視形状は円形又は楕円形であることを特徴とする請求項１又は２に記載の清掃具。
【請求項４】
前記固定軸は、該固定軸の径方向に張り出すフランジ部を先端に有することを特徴とする請求項２又は３に記載の清掃具。
【請求項５】
前記ヘッドは、平面視形状が長方形をなす基板と、該基板の下面に取り付けられた緩衝用のパッド板とを有し、
前記基板の長手方向の一端側と他端側とにそれぞれ、前記シート固定部材を取り付けるための固定部材取付部と前記シート固定孔とが形成され、前記固定部材取付部は、前記基板の短手方向の中間位置に形成され、前記シート固定孔は、前記固定部材取付部を挟んで前記基板の短手方向の一端側と他端側とにそれぞれ形成され、
前記シート固定部材は、該シート固定部材の長手方向の中間位置に、前記基板の固定部材取付部に係止する係止部を有する、
ことを特徴とする請求項１から４の何れかに記載の清掃具。
【請求項６】
前記ヘッドは、平面視で長手方向と短手方向とを有する細長い基台と、該基台の下面に取り付けられた繊維体とを有していて、前記基台の長手方向の両端部に、該基台を短手方向に貫通する前記シート固定孔が形成され、
前記シート固定部材には、該シート固定部材の長手方向の両端部に前記シート固定部が形成されている、
ことを特徴とする請求項１から４の何れかに記載の清掃具。
【発明の詳細な説明】
【技術分野】
【０００１】
本発明は、清掃用のシートをヘッドに装着して清掃を行う清掃具に関するものである。
【背景技術】
【０００２】
例えば、特許文献１や特許文献２に開示されたモップのように、ヘッドにシートを装着して板敷きの床の清掃を行う清掃具は公知である。このような清掃具においては、前記ヘッドに装着したシートを装着状態に固定するため、様々な固定機構が用いられている。
【０００３】
前記特許文献１に開示されたモップは、ヘッド（支持板）の上面に、交叉する複数の切目を設けることによって複数の弾性舌片を形成し、該ヘッドに装着したシートの端部を前記切目内に押し込むことにより前記弾性舌片に係止させ、それによって該シートを装着状態に固定するように構成されている。
このような切目を利用した固定機構は、該切目内にシートを単に押し込むだけで固定することができるため、シートの装着作業が簡単である。また、清掃で汚れたシートを該ヘッドから取り外す場合にも、該シートをやや強く引っ張って前記切目から引き出せば良いため、取り外し作業も簡単である。
【０００４】
しかし、この特許文献１に開示されたシートの固定機構は、１ｍｍ程度の薄手のシートを使用する場合には適しているが、２−３ｍｍ低度の厚手のシートを使用する場合には不向きである。その理由は、前記薄手のシートの場合は、前記切目内に簡単に押し込むことができて、前記弾性舌片に係止し易いが、厚手のシートは、嵩張るため前記切目内に押し込むことが難しいだけでなく、たとえ押し込んだとしても、前記弾性舌片に係止しにくいためにヘッドから外れ易いからである。
【０００５】
一方、前記特許文献２に開示されたモップは、ヘッド（取付台）の上面に止着孔を形成すると共に、該ヘッドの上面に取り付けた柔軟な止着部材に前記止着孔に嵌合する突起を形成し、且つ、シートに係止孔を形成したもので、該シートを前記ヘッドに装着して固定するときは、前記止着部材の端部を上方に持ち上げて該止着部材とヘッドとの間に前記シートの端部を挟み込み、該シートの係止孔を通して前記突起を前記ヘッドの止着孔内に嵌入させることにより、該シートを固定するものである。
【０００６】
この特許文献２に開示されたモップは、薄手のシートと厚手のシートの両方を使用することができる点で優れているが、何れのシートを使用する場合にも、該シートを固定したり取り外したりする場合に、前記止着部材の両端部を持ち上げてヘッドから離れる方向に変形させると同時に、前記突起を該シートの係止孔に嵌合させたり脱出させたりしなければならないため、前記特許文献１に開示された清掃具のように切目を利用するものに比べると、操作がやや面倒である。
【先行技術文献】
【特許文献】
【０００７】
【特許文献１】実用新案登録第３０２３１６７号公報
【特許文献２】特許第３６１６１５９号公報
【発明の概要】
【発明が解決しようとする課題】
【０００８】
本発明の技術的課題は、２種類の固定機構を使い分けることによって薄手のシートと厚手のシートの両方を使用することができるようにした、合理的で使い勝手の良い清掃具を提供することにある。
【課題を解決するための手段】
【０００９】
前記課題を解決するため、本発明の清掃具は、厚みの異なる清掃用シートを選択的に装着可能なヘッドと、該ヘッドに装着された前記シートを装着状態に固定するため、該ヘッドの一端側と他端側とにそれぞれ取り付けられたシート固定部材とを有し、前記ヘッドは、前記一端側と他端側とにそれぞれシート固定孔を有し、前記シート固定部材は、長手方向と短手方向とを有する可撓性ある部材であって、長手方向の一端側と他端側とにそれぞれ、前記シートの一部を固定状態に保持するシート固定部を有し、前記シート固定部には、複数の切目により区画された弾性変形可能な係止片と、前記ヘッドのシート固定孔に嵌合する固定軸とが形成され、前記係止片は、薄手のシートの使用時に、前記切目内に挿入された該シートに係止して該シートを固定状態に保持し、前記固定軸は、厚手のシートの使用時に、該シートを前記ヘッドのシート固定孔内に押し込んで固定状態に保持することを特徴とするものである。
【００１０】
本発明において、前記固定軸は中空状をしていて、前記シート固定部の、前記係止片が形成されている部分の片面に、該係止片の形成域を取り囲むような配置で形成されていることが望ましい。
前記固定軸の正面視形状は、円形であっても楕円形であっても良く、また、前記固定軸は、該固定軸の径方向に張り出すフランジ部を先端に有することが望ましい。
【００１１】
本発明の一つの具体的な構成態様によれば、前記ヘッドは、平面視形状が長方形をなす基板と、該基板の下面に取り付けられた緩衝用のパッド板とを有し、前記基板の長手方向の一端側と他端側とにそれぞれ、前記シート固定部材を取り付けるための固定部材取付部と前記シート固定孔とが形成され、前記固定部材取付部は、前記基板の短手方向の中間位置に形成され、前記シート固定孔は、前記固定部材取付部を挟んで前記基板の短手方向の一端側と他端側とにそれぞれ形成され、前記シート固定部材は、該シート固定部材の長手方向の中間位置に、前記基板の固定部材取付部に係止する係止部を有する。
【００１２】
本発明の他の具体的な構成態様によれば、前記ヘッドは、平面視で長手方向と短手方向とを有する細長い基台と、該基台の下面に取り付けられた繊維体とを有していて、前記基台の長手方向の両端部に、該基台を短手方向に貫通する前記シート固定孔が形成され、前記シート固定部材には、該シート固定部材の長手方向の両端部に前記シート固定部が形成されている。
【発明の効果】
【００１３】
本発明の清掃具によれば、薄手のシートを使用する場合には、該シートの端部を、シート固定部材の切目内に押し込んで係止片に係止させることにより固定し、厚手のシートを使用する場合には、該シートの端部を、シート固定部材の固定軸でシート固定孔内に押し込んで固定するといったように、２種類の固定機構を使い分けることにより、薄手のシートと厚手のシートの両方を選択的に使用することができる。しかも、薄手のシートを固定するための前記係止片と厚手のシートを固定するための前記固定軸とを、何れも前記シート固定部材に設けたことにより、これらシート係止部と固定軸とをヘッドとシート固定具とに別々に形成する場合に比べ、合理的で使い勝手の良い構成にすることができる。
【図面の簡単な説明】
【００１４】
【図１】本発明に係る清掃具の第１実施形態を示す斜視図である。
【図２】図１の清掃具のヘッドの拡大平面図である。
【図３】図２のＩＩＩ−ＩＩＩ線に沿った拡大断面図である。
【図４】図２のＩＶ−ＩＶ線に沿った拡大断面図である。
【図５】シート固定部材を取り外した状態のヘッドの要部平面図である。
【図６】シート固定部材の平面図である。
【図７】図６の右側面図である。
【図８】薄手の清掃用シートを装着した状態のヘッドの平面図である。
【図９】図８のＩＸ−ＩＸ線に沿った要部拡大断面図である。
【図１０】厚手の清掃用シートを装着した状態のヘッドの平面図である。
【図１１】図１０のＸＩ−ＸＩ線に沿った要部拡大断面図である。
【図１２】本発明に係る清掃具の第２実施形態を示す要部側面図である。
【図１３】図１２のＸＩＩＩ−ＸＩＩＩ線に沿った断面図である。
【図１４】図１２のＸＩＶ−ＸＩＶ線に沿った断面図である。
【図１５】シート固定部材の斜視図である。
【図１６】シート固定部材の前側面図で、左半分を断面にした図である。
【図１７】薄手の清掃用シートを装着した清掃具の要部側面図である。
【図１８】厚手の清掃用シートを装着した清掃具の要部側面図である。
【発明を実施するための形態】
【００１５】
図１−図１１は本発明に係る清掃具の第１実施形態を示すもので、この第１実施形態の清掃具１Ａは、板敷きの床面を清掃するフローリングワイパーである。該清掃具１Ａは、図１及び図２に示すように、清掃用のシート２を装着するための平面視形状が横長長方形状をなすヘッド３と、該ヘッド３の上面中央位置に起倒自在に取り付けられた柄４とを備えている。
【００１６】
前記柄４は、伸縮自在に形成されていて、上端部にグリップ６が設けられ、該柄４の下端部（先端部）が、自在継手７を介して前記ヘッド３に、任意の方向に任意の角度傾動自在なるように連結されている。
前記自在継手７は、前記ヘッド３の上面の軸受部８に、前記ヘッド３の長手方向に延びる第１軸線Ｌ１を中心に回転自在に支持された第１の継手部材７ａと、前記柄４の先端に固定された第２の継手部材７ｂとを有し、該第２の継手部材７ｂが前記第１の継手部材７ａに、前記第１軸線Ｌ１と直交する第２軸線Ｌ２を中心に回転自在に連結されている。
【００１７】
前記ヘッド３は、平面視形状が長方形をなす合成樹脂製の基板１０の下面に、平面視形状が長方形をなす緩衝用のパッド板１１を取り付けたものである。
前記パッド板１１は、前記シート２で清掃する際のクッション性を高めるためのものであって、合成ゴム板や、合成樹脂を発泡させて形成したスポンジ板、不織布や織物等からなる布を積層して形成した繊維板等によって、５−１０ｍｍ程度の厚みに形成され、前記基板１０の下面に、フックによる係止や、接着剤あるいは両面接着テープ等による接着等の方法によって固定されている。該パッド板１１は、前記基板１０よりやや大きめに形成されることにより、該基板１０の長手方向及び短手方向に若干はみ出している。
【００１８】
前記基板１０の上面には、その短手方向（幅方向）の中央位置に、中空状をした一対の前記軸受部８，８が、前記第１軸線Ｌ１に沿って該基板１０の長手方向に延在するように形成されている。また、図３−図５も参照して、前記基板１０の長手方向の一端側と他端側とにはそれぞれ、固定部材取付部１２が形成され、各々の固定部材取付部１２に、ヘッド３に装着された前記シート２を固定するためのシート固定部材１３が、該基板１０の短手方向に延在する姿勢で、着脱自在に取り付けられている。
【００１９】
前記固定部材取付部１２には、前記基板１０の幅方向に延びるリブ状をした一対の支持壁１４，１４が、該基板１０の長手方向の異なる位置に、互いに対向し且つ平行をなすように配設され、該一対の支持壁１４，１４の間に一対の係止突起１５，１５が形成され、該一対の係止突起１５，１５の上端に、フック１５ａが、互いに相反する向きに突出するように形成されている。前記支持壁１４の長さは、前記基板１０の横幅のほぼ１／３程度であり、また、前記係止突起１５の長さは、該支持壁１４の長さより更に短く、該支持壁１４の長さのほぼ１／３程度である。
【００２０】
前記一対の支持壁１４，１４の間の部分は窪み１６になっていて、この窪み１６の内底部に前記一対の係止突起１５，１５が設けられており、該窪み１６を挟んで前記基板１０の幅方向の一端側と他端側とに、前記シート固定部材１３の固定軸１７が嵌合する一対のシート固定孔１８，１８の一方と他方とが設けられている。該シート固定孔１８は、前記基板１０の長手方向に細長く延びる楕円形状をしている。
【００２１】
前記シート固定部材１３は、更に図６及び図７も参照して明らかなように、合成ゴムや合成樹脂等からなる可撓性を有する帯状の部材であって、長手方向と短手方向とを有すると共に、実質的に平らな上面を有している。該シート固定部材１３の長手方向の中央位置には、前記基板１０の一対の係止突起１５，１５に係止する係止部２０が形成され、該シート固定部材１３の、前記係止部２０を介して長手方向の一端側と他端側とにそれぞれ、ヘッド３に装着された前記シート２を固定するためのシート固定部２１が形成されると共に、該シート固定部２１を上方に持ち上げて湾曲させる（図３の鎖線参照）ための把手２２が、該シート固定部２１の側面から水平方向に延出するように形成されている。
【００２２】
前記係止部２０は、矩形の枠状をしていて、前記シート固定部材１３の下面に、前記基板１０側に向けて突出した状態に形成され、該係止部２０の４つの枠壁のうち、前記一対の係止突起１５，１５に対面する一対の枠壁２０ａ，２０ａの下端部内面に、前記係止突起１５のフック１５ａに係止するフック２０ｂが形成されている。そして、前記係止部２０と係止突起１５とのフック１５ａ，２０ｂ同士が相互に係止し合うことにより、前記シート固定部材１３が、前記基板１０の上面に、前記一対の支持壁１４，１４で両側から支持されることによって位置ずれを防止された状態で、該基板１０の幅方向に延在するように取り付けられている。
【００２３】
前記シート固定部材１３の両端の前記シート固定部２１には、交叉する複数の切目２７で区画、形成された複数の係止片２６と、前記基板１０のシート固定孔１８内に嵌合する前記固定軸１７とが形成されている。前記係止片２６の先端部は尖っていて、前記シート２に係止することができるようになっている。また、前記係止片２６の尖った先端部は、厚みを他の部分より若干厚くすることによって変形しにくくされており、それにより、前記シート２に対する係止力が高められている。
【００２４】
また、前記固定軸１７は、正面視形状が楕円形状をした中空軸であって、前記係止片２６が形成されている部分の下面に、該係止片２６の形成域を取り囲むような配置で形成され、先端が前記基板１０側に向けて突出している。この固定軸１７の長さ方向の中間部には、該固定軸１７の外周を取り巻く溝部１７ａが形成され、この溝部１７ａの位置で該固定軸１７の外径は、他の部分より小径化されている。従って、該固定軸１７は、前記溝部１７ａに対応する小径部と、該小径部の先端に形成された大径のフランジ状部１７ｂとを有するような形をしていることになる。なお、前記固定軸１７は、楕円の長軸が前記シート固定部材１３の短手方向（幅方向）を向くような姿勢で配置されている。
【００２５】
前記シート２は、不織布や織物等により形成された矩形のシートであって、その好ましい厚みは１−３ｍｍ程度である。このシート２は、図１及び図２に示すように、床面等の清掃を行う際に、前記ヘッド３に、前記パッド板１１の下面全体と、前記基板１０の幅方向の上面両側端部とを覆うように巻き付けられ、該シート２の両側端部が、前記シート固定部材１３で前記ヘッド３に固定状態に保持される。このとき、使用する前記シート２の厚みに応じて前記シート固定部材１３による固定方法が異なる。
【００２６】
即ち、図８及び図９に示すように、前記シート２として、厚みが１ｍｍ程度の薄手のシート２ａを使用する場合には、前記ヘッド３に巻き付けた該シート２ａの端部を、前記シート固定部材１３の上から前記切目２７内に押し込むことにより、前記係止片２６を押し込み方向に弾性変形させて該係止片２６間に挿入し、該係止片２６に弾性的に係止させることで前記ヘッド３に固定状態に保持する。
【００２７】
その状態で床面等を清掃したあと、汚れた前記シート２ａを前記ヘッド３から取り外すときは、該シート２ａの端部をヘッド３の上方に向けて強く引っ張り、前記係止片２６を該シート２ａの引っ張り方向に弾性変形させて該シート２ａに対する係止を解除することにより、該シート２ａをヘッド３から取り外すことができる。
【００２８】
一方、前記シート２として、厚みが２−３ｍｍ程度の厚手のシート２ｂを使用する場合には、前記ヘッド３に巻き付けた該シート２ｂの固定時に、図３に鎖線で示すように、前記シート固定部材１３の把手２２を摘んでシート固定部２１を上方に湾曲させることにより、前記固定軸１７を前記シート固定孔１８から離間させ、その状態で、前記シート２ｂの端部を前記シート固定部２１と基板１０との間に挿入する。そして、図１０及び図１１に示すように、前記シート固定部材１３を真直状態に復元させて前記固定軸１７を前記シート固定孔１８内に前記シート２ｂを介して押し込むことにより、該シート２ｂが前記シート固定孔１８内に押し込まれて前記固定軸１７とシート固定孔１８との間に挟持されるため、該シート２ｂは前記ヘッド３に固定される。
【００２９】
清掃で汚れた前記シート２ｂをヘッド３から取り外すときは、前記シート固定部材１３の把手２２を摘んでシート固定部２１を上方に湾曲させることにより前記固定軸１７をシート固定孔１８から離間させ、その状態で前記シート２ｂの端部を前記シート固定孔１８から引き出せば良い。
【００３０】
このようにして前記清掃具１Ａは、切目２７により区画、形成された前記係止片２６からなる第１の固定機構と、前記固定軸１７及びシート固定孔１８からなる第２の固定機構との、２種類の固定機構を使い分けることにより、薄手のシート２ａと厚手のシート２ｂの両方を選択的に使用することができる。しかも、薄手のシート２ａを固定するための前記係止片２６と、厚手のシート２ｂを固定するための前記固定軸１７とを、何れも前記シート固定部材１３に設けたことにより、これら係止片２６と固定軸１７とを前記ヘッド３とシート固定部材１３とに別々に形成する場合に比べ、合理的で使い勝手の良い構成にすることができる。
【００３１】
図１２−図１８は本発明に係る清掃具の第２実施形態を示すもので、この第２実施形態の清掃具１Ｂは、繊維体３２で床面上の塵を掃き取るように構成された箒であり、該箒のヘッド３０に、清掃用のシート２を、前記繊維体３２を覆うようにシート固定部材３３で装着することにより、該シート２による拭き掃除も行うことができるようにしたものである。
【００３２】
前記ヘッド３０は、図１２−図１４から明らかなように、平面視で長手方向と短手方向とを有する細長い杆状の基台３１と、該基台３１の下面に取り付けられた植物製又は合成樹脂製の前記繊維体３２とを有し、該繊維体３２で床面上の塵埃を掃き取るものである。
前記基台３１は、長手方向の中間位置で切断した場合の縦断面形状が上下に細長い略長方形をなすもので、該基台３１の上面中央位置に設けられた継手３４に、柄３５が、該基台３１の長手方向に起倒自在なるように取り付けられている。
【００３３】
また、前記基台３１の長手方向の両端部にはそれぞれ、シート固定孔３６が、該基台３１を短手方向（幅方向）に貫通するように形成されている。該シート固定孔３６は、前記基台３１の長手方向に細長い楕円形状をしている。図中の符号３６で表された中空部は、前記ヘッド３０の軽量化及び材料節約のための肉抜き用の孔である。
【００３４】
一方、前記シート固定部材３３は、図１５及び図１６から明らかなように、該シート固定部材３３の長手方向の両端部にそれぞれシート固定部３７を有し、該シート固定部３７には、切目３８により形成された複数の係止片３９と、前記基台３１のシート固定孔３６内に嵌合する固定軸４０と、前記シート固定部材３３の長手方向に延出する把手４１とが形成されている。前記固定軸４０は、断面形状が楕円形状をしていて、該楕円の長軸は、前記シート固定部材３３の長手方向を向いている。該固定軸４０のその他の形状は、前記第１実施形態におけるシート固定部材１３の固定軸１７と同じである。
【００３５】
前記シート固定部材３３は、略Ｕ字形に折り曲げられた状態で、前記基台３１の長手方向の端面を跨ぐように配設され、一方の固定軸４０が、該基台３１の前後一方の側面側から前記シート固定孔３６内に挿入されると共に、他方の固定軸４０が、該基台３１の他方の側面側から前記シート固定孔３６内に挿入されることにより、該基台３１に取り付けられている。従って、前記基台３１及びシート固定部材３３には、前記第１実施形態の清掃具１Ａの前記基板１０及びシート固定部材１３に形成されているような固定部材取付部１２及び係止部２０は、形成されていない。
【００３６】
その代わりに、前記シート固定部材３３の長手方向の中央部の表裏両面には、前述したように該シート固定部材３３をＵ字形に折り曲げ易くするため、該シート固定部材３３の幅方向に延びる複数本の溝がそれぞれ形成されている。即ち、該シート固定部材３３を折り曲げたとき外側になる表面には、該表面の伸長を助けるため、やや深めの複数本の溝４２が平行に形成され、内側になる裏面には、折り目となる浅めの２本の溝４３が平行に形成されている。
【００３７】
前記清掃具１Ｂは、床面上の大まかな塵埃を掃き取る場合、前記ヘッド３０に前記シート２を装着せずに、前記繊維体３２で前記塵埃を掃き取るようにし、前記繊維体３２で掃き取れないような細かい塵埃を掃き取ったり拭き取ったりする場合には、前記ヘッド３０に前記シート２を、前記繊維体３２を包み込むように装着して使用する。
【００３８】
前記シート２を装着する場合、該シート２が薄手のシート２ａである場合には、図１７に示すように、該シート２ａの端部を、前記ヘッド３０に取り付けた状態の前記シート固定部材３３の切目３８内に押し込み、前記係止片３９間に挿入して該係止片３９に係止させることより、前記ヘッド３０に固定する。
【００３９】
一方、前記シート２が厚手のシート２ｂである場合には、図１８に示すように、前記シート固定部材３３を前記ヘッド３０から取り外した状態で、前記ヘッド３０に、前記繊維体３２を包み込むように前記シート２ｂを装着したあと、前記シート固定部材３３の固定軸４０を、前記ヘッド３０のシート固定孔３６内に前記シート２ｂを介して押し込み、該シート２ｂの端部を前記固定軸４０とシート固定孔３６との間に挟持させることにより、該シート２ｂを固定する。
【００４０】
なお、図示した実施形態では、前記固定軸４０及びシート固定孔３６が楕円形状をしているが、これら固定軸４０及びシート固定孔３６の形状は、円形であってもその他の形状であっても良い。
【符号の説明】
【００４１】
１Ａ，１Ｂ      清掃具
２，２ａ，２ｂ      シート
３，３０      ヘッド
１０      基板
１１      パッド板
１２      固定部材取付部
１３，３３      シート固定部材
１７，４０      固定軸
１８，３６      シート固定孔
２０      係止部
２１，３７      シート固定部
２６，３９      係止片
２７，３８      切目
３１      基台
３２      繊維体
【図１】
2017000383.tif 000003
【図２】
2017000383.tif 000004
【図３】
2017000383.tif 000005
【図４】
2017000383.tif 000006
【図５】
2017000383.tif 000007
【図６】
2017000383.tif 000008
【図７】
2017000383.tif 000009
【図８】
2017000383.tif 000010
【図９】
2017000383.tif 000011
【図１０】
2017000383.tif 000012
【図１１】
2017000383.tif 000013
【図１２】
2017000383.tif 000014
【図１３】
2017000383.tif 000015
【図１４】
2017000383.tif 000016
【図１５】
2017000383.tif 000017
【図１６】
2017000383.tif 000018
【図１７】
2017000383.tif 000019
【図１８】
2017000383.tif 000020